(57)【要約】  コネクタの有効利用が図られた無線通信装置および機能切換方法を提供する。この無線通信装置は、コネクタと、他の機器と無線通信を行う無線通信部と、無線通信のための設定を、コネクタを介した他の機器との有線通信で実行する設定実行部と、コネクタに接続された機器を使った、無線通信のための設定とは別の機能を実行する別機能実行部と、無線通信部の無線通信による前記他の機器との接続が成立しているか否かを確認する無線通信確認部と、無線通信確認部で無線通信による接続の成立が確認された場合に、通信設定部と別機能実行部とのうち別機能実行部を選択して上記別の機能を実行させる選択部とを備える。
2011101977.tif 000002
【特許請求の範囲】
【請求項１】
コネクタと、
他の機器と無線通信を行う無線通信部と、
前記無線通信のための設定を、前記コネクタを介した前記他の機器との有線通信で実行する設定実行部と、
前記コネクタに接続された機器を使った、前記設定とは別の機能を実行する別機能実行部と、
前記無線通信部の無線通信による前記他の機器との接続が成立しているか否かを確認する無線通信確認部と、
前記無線通信確認部で無線通信による接続の成立が確認された場合に、前記通信設定部と前記別機能実行部とのうち別機能実行部を選択して前記別の機能を実行させる選択部と、
を備えたことを特徴とする無線通信装置。
【請求項２】
前記選択部は、前記別機能実行部を選択した後で、前記無線通信確認部で無線通信による接続の不成立が確認された場合には前記通信設定部を選択して前記設定を実行させるものであることを特徴とする請求項１記載の無線通信装置。
【請求項３】
無線通信装置で実行される機能切換方法であって、
無線通信のための設定を、前記無線通信装置に備えられたコネクタを介した他の機器との有線通信で実行する設定実行過程と、
前記他の機器と無線通信を行う無線通信過程と、
前記無線通信過程の無線通信による前記他の機器との接続が成立しているか否かを確認する無線通信確認過程と、
前記無線通信による接続の成立が確認された場合に、前記コネクタに接続された機器を使った、前記設定とは別の機能を実行させる別機能実行過程と、
を有することを特徴とする機能切換方法。
【請求項４】
前記別機能実行過程の後で前記無線通信による接続の不成立が確認された場合に前記設定を実行させる設定再実行過程を有することを特徴とする請求項３記載の機能切換方法。
【発明の詳細な説明】
【技術分野】
【０００１】
本件開示は、無線通信装置、および機能切換方法に関する。
【背景技術】
【０００２】
パーソナルコンピュータ（以下ＰＣと略す）には、現在ＵＳＢ２．０という最大４８０Ｍｂｐｓの転送速度を持ち周辺機器と容易に接続できる有線インターフェースが使われている。そして、このＵＳＢ２．０における有線部分を無線通信におきかえたワイヤレスＵＳＢはＵＳＢ２．０と同等のインターフェース機能を有した技術である。ワイヤレスＵＳＢでは、ＰＣに代表されるホスト機器に専用の無線通信デバイスが設けられている。そして、この無線通信デバイスが用いられて、ワイヤレスＵＳＢハブ等に代表されるワイヤレスＵＳＢデバイスとホスト機器との無線アンテナを経由した通信が行われる。【０００３】
上述したように、ワイヤレスＵＳＢは、ＰＣ（ホスト側）とワイヤレスＵＳＢデバイス（端末側）との間を無線で通信している以外はＵＳＢ２．０インターフェースと同じインターフェース機能を持っている。このため、ワイヤレスＵＳＢデバイスの内部動作はＵＳＢ２．０の仕様を踏襲した動作となっている。【０００４】
ワイヤレスＵＳＢを使うことにより、端末側のＵＳＢ機器をＰＣ（ホスト側）と繋げていた有線部分が無くなるため、有線ケーブルの引き回しを考慮する事もなく自由にＵＳＢ機器を配置できるようになる。【０００５】
このようなワイヤレスＵＳＢでＵＳＢデバイスとＰＣが無線通信する場合は、初期設定としてお互いの機器情報（ＭＡＣアドレス）を交換し、それぞれの記憶手段に記憶しておく必要がある。【０００６】
この情報交換の一般的な方法としては、ワイヤレスＵＳＢデバイスとＰＣの間を有線ＵＳＢケーブルで接続し、そのケーブルを介した有線ＵＳＢ２．０インターフェースを通じて情報交換を行う方法が知られている。このような情報交換方法はケーブルアソシェーションと称されている。【０００７】
このケーブルアソシェーションで情報交換を行っている最中は、ワイヤレスＵＳＢデバイスはＰＣに対して有線のＵＳＢ２．０デバイスとして動作する。そのためワイヤレスＵＳＢデバイス側には、有線のＵＳＢ２．０デバイスとして動作するためのケーブルアソシェーション専用のＵＳＢインターフェースコネクタが設けられている。【０００８】
ケーブルアソシェーションでお互いの機器情報（ＭＡＣアドレス）を記憶した後は、ワイヤレスＵＳＢデバイスとＰＣはお互いの電波を受信してワイヤレスＵＳＢとして通信を行うこととなる。即ち、ワイヤレスＵＳＢデバイスとしての本来の機能を実行することとなる。【０００９】
このように本来の機能を実行しているワイヤレスＵＳＢデバイスにおいては、初期設定に用いられた専用のＵＳＢインターフェースコネクタは不要な状態となっている。【００１０】
なお、ＵＳＢインターフェースコネクタの機能やＵＳＢデバイスの機能を切り替えるための技術的提案も知られている（例えば、特許文献１および特許文献２参照。）。
【先行技術文献】
【特許文献】
【００１１】
【特許文献１】特開２００４−１５７６０４号公報
【特許文献２】特開２００６−２３８４１３号公報
【発明の概要】
【発明が解決しようとする課題】
【００１２】
ワイヤレスＵＳＢデバイスの更なる小型化を考えると、初期設定に用いられたケーブルアソシェーション専用のＵＳＢインターフェースコネクタを、ワイヤレスＵＳＢデバイスが本来の機能を実行している場合にも有効利用することが望ましい。しかし、特許文献１や特許文献２などに開示されている従来技術は、このような有効利用を目的にしていないため、技術を単純に流用しても、機能の切り替えが不適切になる場合がある。【００１３】
また、単純に機械的スイッチで機能を切り替える方法が考えられるが、スイッチを取り付けるための追加のスペースが必要になり小型化の目的に反する結果となる。また、機械的なスイッチでの切り換えは使用者のオペレーションに依存することとなるが、オペレーションミス等の発生で誤動作の要因ともなって危険である。【００１４】
なお、ここまでワイヤレスＵＳＢデバイスを例として技術的な事情を説明したが、このような事情は、ワイヤレスＵＳＢデバイスに限らず、無線通信の初期設定に有線を用いる無線通信装置について一般的に生じる事情である。【００１５】
上記事情に鑑み、本件開示は、コネクタの有効利用が図られた無線通信装置、およびそのような有効利用を可能とする機能切換方法を提供することを目的とする。
【課題を解決するための手段】
【００１６】
上記目的を達成する無線通信装置は、コネクタと無線通信部と設定実行部と別機能実行部と無線通信確認部と選択部とを備えている。【００１７】
上記無線通信部は、他の機器と無線通信を行うものである。【００１８】
上記設定実行部は、上記無線通信のための設定を、上記コネクタを介した上記他の機器との有線通信で実行するものである。【００１９】
上記別機能実行部は、上記コネクタに接続された機器を使った、上記設定とは別の機能を実行するものである。【００２０】
上記無線通信確認部は、上記無線通信部による無線通信が成立しているか否かを確認するものである。【００２１】
上記選択部は、上記無線通信確認部で無線通信の成立が確認された場合に、上記通信設定部と上記別機能実行部とのうち別機能実行部を選択して上記別の機能を実行させるものである。【００２２】
上記目的を達成する機能切換方法は、無線通信装置で実行される機能切換方法であって、設定実行過程と無線通信過程と無線通信確認過程と別機能実行過程とを有する。【００２３】
上記設定実行過程は、無線通信のための設定を、上記無線通信装置に備えられたコネクタを介した他の機器との有線通信で実行する過程である。【００２４】
上記無線通信過程は、上記他の機器と無線通信を行う過程である。【００２５】
上記無線通信確認過程は、上記無線通信が成立しているか否かを確認する過程である。【００２６】
上記別機能実行過程は、上記無線通信の成立が確認された場合に、上記コネクタに接続された機器を使った、上記設定とは別の機能を実行させる過程である。
【発明の効果】
【００２７】
本件開示の無線通信装置および機能切換方法によれば、コネクタの有効利用が図られる。
【図面の簡単な説明】
【００２８】
【図１】無線通信装置の一実施形態であるワイヤレスＵＳＢデバイスを端末装置として含んだコンピュータシステムを示す図である。
【図２】ワイヤレスＵＳＢデバイスの内部構成を示す図である。
【図３】ワイヤレスＵＳＢデバイスの動作を表すフローチャートの前半部分である。
【図４】ワイヤレスＵＳＢデバイスの動作を表すフローチャートの後半部分である。
【図５】ＰＣとワイヤレスＵＳＢデバイスがＵＳＢケーブルで接続された様子を示す図である。
【図６】ワイヤレスＵＳＢの接続後の運用例を示す図である。
【発明を実施するための形態】
【００２９】
上記説明した無線通信装置および機能切換方法に対する具体的な実施形態を、以下図面を参照して説明する。
【００３０】
図１は、上述した無線通信装置の一実施形態であるワイヤレスＵＳＢデバイスを端末装置として含んだコンピュータシステムを示す図である。
【００３１】
このコンピュータシステム１００は、パーソナルコンピュータ（ＰＣ）２００とワイヤレスＵＳＢデバイス３００とを備えたシステムである。
【００３２】
ワイヤレスＵＳＢデバイス３００には、ユーザが各種の操作を行うための各種ボタン３０３が備えられている。また、ワイヤレスＵＳＢデバイス３００には、液晶ディスプレイ（ＬＣＤ）にタッチパネルが組み込まれたＬＣＤタッチパネル３０４も備えられている。このＬＣＤタッチパネル３０４は、操作用に用意されたタッチペン３０４ａや指先などで画面に触れることで操作される。
【００３３】
ＰＣ２００とワイヤレスＵＳＢデバイス３００は、ワイヤレスＵＳＢで互いに無線通信を行っている。そして、このワイヤレスＵＳＢデバイス３００は、その無線通信によってＰＣ２００に対する周辺機器として動作することで、例えば、ＰＣ２００の画面に対するサブ画面などとして利用される。
【００３４】
図２は、ワイヤレスＵＳＢデバイスの内部構成を示す図である。
【００３５】
ワイヤレスＵＳＢデバイス３００はＵＳＢハブ３０１を内蔵している。また、ワイヤレスＵＳＢデバイス３００は、ＣＰＵ３０２ａを有したワイヤレスＵＳＢデバイス側コントローラ３０２を備えている。フラッシュメモリ３０８に記憶されたファームウェアに従ってＣＰＵ３０２ａが動作することでワイヤレスＵＳＢデバイス側コントローラ３０２はワイヤレスＵＳＢデバイス３００の各種機能を制御する。ＵＳＢハブ３０１はワイヤレスＵＳＢデバイス側コントローラ３０２の出力側の信号をＰ１〜Ｐ４の４つのポートに分配する機能を有している。ワイヤレスＵＳＢデバイス３００は、ＵＳＢハブ３０１の各ポートに接続される装置に対するホストとして機能する。
【００３６】
この図２には、上述した図１に示した各種ボタン３０３およびＬＣＤタッチパネル３０４も示されている。また、図１では図示および説明を省略したが、この図２に示されているように、ワイヤレスＵＳＢデバイス３００は、ＵＳＢインターフェースコネクタ３０５と、小型メモリカード専用コネクタ３０６を備えている。これらのコネクタ３０５，３０６は、ワイヤレスＵＳＢデバイス３００外のケーブルや機器が接続されるものである。即ち、ＵＳＢインターフェースコネクタ３０５には、ＵＳＢケーブルやＵＳＢデバイスなどが接続される。一方、小型メモリカード専用コネクタ３０６には、ＳＤメモリカード（登録商標）やメモリースティック（登録商標）などといった小型メモリカードが接続される。このため小型メモリカード専用コネクタ３０６は、接続される小型メモリカードの種類に応じたコネクタ形状を有している。
【００３７】
ワイヤレスＵＳＢデバイス３００は、バッテリー３０９や無線アンテナ３０７も内蔵している。更に、ワイヤレスＵＳＢデバイス３００は、表示制御部３１１、タッチパネル制御部３１２、アンテナ制御部３１３、小型メモリカード制御部３１４、およびボタン・電源・バッテリー制御部３１０も内蔵している。表示制御部３１１は、ＬＣＤタッチパネル３０４における画像や文字の制御を行う。タッチパネル制御部３１２は、ＬＣＤタッチパネル３０４に組み込まれたタッチパネルによる情報入力を制御する。表示制御部３１１はＵＳＢハブ３０１のポートＰ１に繋がり、タッチパネル制御部３１２はＵＳＢハブ３０１のポートＰ２に繋がっている。これら表示制御部３１１およびタッチパネル制御部３１２は、ワイヤレスＵＳＢデバイス３００に対するＵＳＢデバイスとして動作している。
【００３８】
アンテナ制御部３１３は、ワイヤレスＵＳＢデバイス側コントローラ３０２に繋がっており、ワイヤレスＵＳＢデバイス側コントローラ３０２はワイヤレスＵＳＢの規格に則った無線通信をアンテナ制御部３１３を介して行う。ワイヤレスＵＳＢデバイス側コントローラ３０２およびアンテナ制御部３１３を合わせたものが、他の機器と無線通信を行う無線通信部の一例に相当する。この無線通信に先だって、ワイヤレスＵＳＢデバイス３００は、初期設定として、図１に示すＰＣ２００とのＭＡＣアドレスの相互交換を必要とする。ＭＡＣアドレスの相互交換の方法として、このワイヤレスＵＳＢデバイス３００は、ホスト側が有しているＵＳＢホストコネクタとＵＳＢインターフェースコネクタ３０５をＵＳＢケーブルで繋ぐケーブルアソシェーションを使用する。
【００３９】
小型メモリカード制御部３１４は、小型メモリカード専用コネクタ３０６を介した小型メモリカードへの情報の読み書きを制御する。この小型メモリカード制御部３１４もワイヤレスＵＳＢデバイス３００に対するＵＳＢデバイスとして動作するものであって、ＵＳＢハブ３０１のポートＰ３に繋がっている。
【００４０】
ボタン・電源・バッテリー制御部３１０は、各種ボタン３０３の状態監視や電源のオンオフ制御やバッテリーの充電状態監視などを行う。ボタン・電源・バッテリー制御部３１０は、ワイヤレスＵＳＢデバイス側コントローラ３０２のＩＯポートＧＰＩＯ２に繋がっていて各種ボタン３０３の状態などをＵＳＢデバイス側コントローラ３０２に通知する。
【００４１】
このワイヤレスＵＳＢデバイス３００に備えられているＵＳＢインターフェースコネクタ３０５は、無線アンテナ３０７を介した無線通信の初期設定用に用いられると共に、ＵＳＢハブ３０１に対するＵＳＢデバイスの接続用としても用いられる。このためワイヤレスＵＳＢデバイス３００には信号セレクタ３１５が備えられている。
【００４２】
ＵＳＢインターフェースコネクタ３０５は、信号セレクタ３１５に繋がっている。その信号セレクタ３１５には、その信号セレクタ３１５による選択対象として、ワイヤレスＵＳＢデバイス側コントローラ３０２の入力側とＵＳＢハブ３０１のＰ４ポートが繋がっている。信号セレクタ３１５による信号選択は、ワイヤレスＵＳＢデバイス側コントローラ３０２のＩＯポートＧＰＩＯ１からの出力によって決まる。即ち、ＩＯポートＧＰＩＯ１の出力が”Ｌ”の時、信号セレクタ３１５は、ワイヤレスＵＳＢデバイス側コントローラ３０２の入力側をＵＳＢインターフェースコネクタ３０５に接続する。これにより、ワイヤレスＵＳＢデバイス３００は、ＵＳＢインターフェースコネクタ３０５に接続されるホスト装置に対するＵＳＢデバイスとして動作する。そして、ワイヤレスＵＳＢデバイス側コントローラ３０２は、ＵＳＢインターフェースコネクタ３０５を介してケーブルアソシェーションを実行する。つまり、ワイヤレスＵＳＢデバイス側コントローラ３０２は、無線通信のための設定を有線通信で実行する設定実行部の一例に相当する。また、ＩＯポートＧＰＩＯ１の出力が”Ｈ”の時、信号セレクタ３１５は、ＵＳＢハブ３０１のＰ４ポートをＵＳＢインターフェースコネクタ３０５に接続する。これにより、ワイヤレスＵＳＢデバイス３００は、ＵＳＢインターフェースコネクタ３０５に接続されるＵＳＢデバイスに対してホスト装置として動作する。つまり、ＵＳＢハブ３０１が、無線通信のため設定とは別の機能を実行する別機能実行部の一例に相当する。
【００４３】
このような信号セレクタ３１５による信号選択を決めるＩＯポートＧＰＩＯ１からの出力は、ワイヤレスＵＳＢデバイス側コントローラ３０２が、ワイヤレスＵＳＢの無線通信の状態を監視した結果に応じて設定している。詳しくは後述するが、ワイヤレスＵＳＢの規格に則った無線通信の接続が成立するとワイヤレスＵＳＢデバイス側コントローラ３０２はＩＯポートＧＰＩＯ１からの出力を”Ｈ”に設定する。従って、ワイヤレスＵＳＢデバイス側コントローラ３０２は、無線通信による他の機器との接続が成立しているか否かを確認する無線通信確認部の一例に相当する。更に、ワイヤレスＵＳＢデバイス側コントローラ３０２は、別機能実行部を選択して上記別の機能を実行させる選択部の一例にも相当する。
【００４４】
以下、ワイヤレスＵＳＢデバイス３００の動作をフローチャートを参照して説明する。
【００４５】
図３および図４はワイヤレスＵＳＢデバイスの動作を表すフローチャートである。図３には、フローチャートの前半部分が示されており、図４には、フローチャートの後半部分が示されている。即ち、図３に示すステップＳ１０９は、図４に示すステップＳ１１０へと繋がっている。この図３および図４で表された動作は、上述した機能切換方法の一実施形態に相当する。以下、このフローチャートを参照してワイヤレスＵＳＢデバイス３００の動作を説明するに当たり、図２に記載の要素については特に図番を断らずに符号で参照する。また、以下の説明では、ホスト側の装置は図１に示すＰＣ２００であるものとする。
【００４６】
ユーザの操作によってワイヤレスＵＳＢデバイス３００の電源がＯＮになる（ステップＳ１０１）と、ワイヤレスＵＳＢデバイス側コントローラ３０２は、初期状態としてＩＯポートＧＰＩＯ１の出力を”Ｌ”に設定する（ステップＳ１０２）。これにより、ワイヤレスＵＳＢデバイス側コントローラ３０２の入力側がＵＳＢインターフェースコネクタ３０５に接続される。初期状態のワイヤレスＵＳＢデバイス３００は、図１に示すＰＣ２００から電波が発信されていても互いの情報を交換していないので、電波を受信できても相手として認識できず、ワイヤレスＵＳＢとして接続することもできない。
【００４７】
ワイヤレスＵＳＢデバイス側コントローラ３０２は、ＵＳＢインターフェースコネクタ３０５を介してＵＳＢの信号Ｄ＋，Ｄ−をモニタすることで、ＵＳＢインターフェースコネクタ３０５にＵＳＢケーブルが接続されたか否かを認識する（ステップＳ１０３）。この信号は未接続時プルダウン抵抗により”Ｌ”に固定されているため、信号Ｄ＋，Ｄ−が”Ｌ”である場合にはワイヤレスＵＳＢデバイス側コントローラ３０２により未接続と認識される。一方、ＵＳＢケーブルがＰＣ２００とワイヤレスＵＳＢデバイス３００とに繋がった場合、ＵＳＢデバイス側は信号Ｄ＋，Ｄ−のどちらかがプルアップされていて”Ｈ”になる。従って、信号Ｄ＋，Ｄ−のどちらかが”Ｈ”になった場合にはワイヤレスＵＳＢデバイス側コントローラ３０２により接続が認識される。
【００４８】
図５は、ＰＣとワイヤレスＵＳＢデバイスがＵＳＢケーブルで接続された様子を示す図である。
【００４９】
ワイヤレスＵＳＢデバイス３００のユーザは、ケーブルアソシェーションのためにＰＣ２００とワイヤレスＵＳＢデバイス３００をＵＳＢケーブル４００で接続する。
【００５０】
このようにＵＳＢケーブル４００で接続されると、ワイヤレスＵＳＢデバイスでは、図３のステップＳ１０３で接続が認識される。そして、ステップＳ１０４に進み、ＵＳＢインターフェースを使ったケーブルアソシェーションが実行される。このステップＳ１０４が上記設定実行過程の一例に相当する。このケーブルアソシエーションでは、ＰＣ２００側で、ＰＣ２００の内部機能によって接続が認識される。そしてＰＣ２００は、ＵＳＢのプロトコルに従いＵＳＢデバイスとの通信を開始する。ＰＣ２００はワイヤレスＵＳＢデバイス３００を認識して専用のドライバソフトをインストールし、ワイヤレスＵＳＢデバイス３００をＵＳＢデバイスとして制御する。この時ワイヤレスＵＳＢデバイス３００をＵＳＢデバイスとして制御するため、ＰＣ２００から発信されている電波は一時的に停止する。また、ＵＳＢケーブル４００を経由してＵＳＢの通信プロトコルにしたがってＰＣ２００の情報がワイヤレスＵＳＢデバイス３００側に送信され、その送信された情報はフラッシュメモリ３０８に記憶される。一方、ワイヤレスＵＳＢデバイス３００の情報はＰＣ２００側に送信され、その送信された情報はＰＣ２００内の記憶手段に記憶される。
【００５１】
ワイヤレスＵＳＢデバイス３００のユーザは、ケーブルアソシェーションが終了するとＵＳＢケーブル４００を取り外す。なお、ユーザは、ケーブルアソシェーションの終了を、ＰＣ２００上のワイヤレスＵＳＢのアプリケーションを使って判断する。ＰＣ２００は、ケーブルアソシェーションの終了後にＵＳＢケーブル４００が取り外されると再び電波を発信する。
【００５２】
一方、ケーブルアソシェーションで情報交換を終えたワイヤレスＵＳＢデバイス３００は、図３のステップＳ１０５で、ＵＳＢインターフェースコネクタ３０５を介して、ケーブルが取り外されたか否かを認識する（ステップＳ１０５）。このステップＳ１０５での認識方法は、上述したステップＳ１０３での認識方法と同様である。そして、取り外されたと認識されるとステップＳ１０６に進み、ワイヤレスＵＳＢデバイス３００は電波の受信を待つ。ワイヤレスＵＳＢデバイス３００によって電波が受信される（ステップＳ１０７）と、受信した電波が表している識別情報（ＭＡＣアドレス）が、記憶しているＰＣ２００の識別情報と一致するか否かが確認される（ステップＳ１０８）。また、同時に、ＰＣ２００に対してワイヤレスＵＳＢデバイス３００の識別情報が電波で送信される。ＰＣ２００側でも、電波で送られてきた識別情報とケーブルアソシェーションで記憶した識別情報とが比較される。このように識別情報の一致が確認されることにより、ワイヤレスＵＳＢに則った無線通信接続の成立が確認される。つまり、ステップＳ１０８は、上記無線通信確認過程の一例に相当する。
【００５３】
電波で送信されたお互いの識別情報が、お互いの装置内に記憶されている識別情報と一致した場合（ステップＳ１０９；Ｙｅｓ）には、図４のステップＳ１１０に進んで、ワイヤレスＵＳＢに則った無線通信の接続を続ける。この接続は、ケーブルアソシェーションで使われたドライバがワイヤレスＵＳＢとして動作することで実現される。このステップＳ１１０が、上述した無線通信過程の一例に相当する。
【００５４】
このように、ワイヤレスＵＳＢの接続が行われると、ＵＳＢインターフェースコネクタ３０５のケーブルアソシェーション用としての役割は不要になる。そこで、ワイヤレスＵＳＢデバイス側コントローラ３０２は、ＩＯポートＧＰＩＯ１の出力を”Ｈ”に設定する（ステップＳ１１１）。この結果、信号セレクタの切り替えによってＵＳＢハブ３０１のＰ４ポート（出力側）がＵＳＢインターフェースコネクタ３０５に接続されることとなる。そして、ＵＳＢインターフェースコネクタ３０５は、ＵＳＢホストコネクタとして機能する（ステップＳ１１２）。つまり、ＵＳＢインターフェースコネクタ３０５にＵＳＢメモリなどを接続することが可能となる。このステップＳ１１２が、上記別機能実行過程の一例に相当する。
【００５５】
図６は、ワイヤレスＵＳＢの接続後の運用例を示す図である。
【００５６】
ＰＣ２００とワイヤレスＵＳＢデバイス３００はワイヤレスＵＳＢによって互いに接続されている。そしてワイヤレスＵＳＢデバイス３００は、上述したように、ＰＣ２００の画面のサブ画面などとして利用される。また、この図６に示すように、ワイヤレスＵＳＢデバイス３００にはＵＳＢメモリ５００などを接続することができる。このワイヤレスＵＳＢデバイス３００には、上述したようにＵＳＢインターフェースコネクタが１つしか設けられていない。しかし、ケーブルアソシェーションが不要となった後は、この図６に示すような運用により、ＵＳＢインターフェースコネクタが有効利用される。従って、余分なＵＳＢインターフェースコネクタが不要となるのでワイヤレスＵＳＢデバイス３００の小型化が図られる。
【００５７】
図４に示すステップＳ１１２の後は、ユーザ操作によってワイヤレスＵＳＢデバイス３００の電源がＯＦＦになる（ステップＳ１１３；Ｙｅｓ）と図３および図４に示すフローチャートの動作は終了する。ワイヤレスＵＳＢデバイス３００の電源がＯＮのまま（ステップＳ１１３；Ｎｏ）の場合はステップＳ１１４に進む。また、このステップＳ１１４で、ＰＣからの切断要求もＰＣの電源断も生じていない（ステップＳ１１４；Ｎｏ）場合はステップＳ１１５に進む。更に、このステップＳ１１５で、通信品質の悪化による通信切断が生じていないステップＳ１１５；Ｎｏ）場合はステップＳ１１３に戻る。つまり、図４に示すステップＳ１１２の後は、通信が正常に維持されている間は、ステップＳ１１３〜ステップＳ１１５の判断だけが繰り返されることとなる。
【００５８】
ステップＳ１１４で、ＰＣからの切断要求、またはＰＣの電源断のいずれかが生じた場合はステップＳ１１６に進む。また、ステップＳ１１５で通信品質の悪化による通信切断が生じた場合もステップＳ１１６に進む。これらの場合には、再度のケーブルアソシェーションが必要となる。そこで、ステップＳ１１６では、ワイヤレスＵＳＢデバイス側コントローラ３０２によってＩＯポートＧＰＩＯ１の出力が”Ｌ”に設定されて、図３のステップＳ１０３へと動作が戻る。これにより、ワイヤレスＵＳＢデバイス側コントローラ３０２の入力側が再びＵＳＢインターフェースコネクタ３０５に接続される。つまり、ケーブルアソシェーションが再度可能な状態になる。
【００５９】
また、上述したステップＳ１０７でワイヤレスＵＳＢデバイス３００が電波を受信できなかった場合や、上述したステップＳ１０９で識別情報が不一致であった場合にも、再度のケーブルアソシェーションが必要なのでステップＳ１０３へと動作が戻る。
【００６０】
このように、ワイヤレスＵＳＢデバイス３００は、ワイヤレスＵＳＢの接続が不成立となった場合には、再度のケーブルアソシェーションのために機能を切り替える。このことは、以下のような応用形態が好適であることを意味している。
【００６１】
この応用形態では、上記選択部は、上記別機能実行部を選択した後で、上記無線通信確認部で無線通信による接続の不成立が確認された場合には上記通信設定部を選択して上記設定を実行させるものである。
【００６２】
あるいはこの応用形態では、上記別機能実行過程の後で上記無線通信による接続の不成立が確認された場合に上記設定を実行させる設定再実行過程を有する。
【００６３】
図３のステップＳ１０３へと動作を戻す各ステップは、この設定再実行過程の各一例に相当する。
【００６４】
以上説明したように、図２に示すワイヤレスＵＳＢデバイス３００や図３および図４に示す動作によれば、コネクタの有効利用が図られる。その結果、ワイヤレスＵＳＢデバイスの小型化などにも寄与することとなる。
【符号の説明】
【００６５】
１００    コンピュータシステム
２００    パーソナルコンピュータ
３００    ワイヤレスＵＳＢデバイス
３０３    各種ボタン
３０４    ＬＣＤタッチパネル
３０１    ＵＳＢハブ
３０２    ワイヤレスＵＳＢデバイス側コントローラ
３０５    ＵＳＢインターフェースコネクタ
３０６    小型メモリカード専用コネクタ
３０７    内蔵アンテナ
３０８    フラッシュメモリ
３０９    バッテリー
３１５    信号セレクタ
４００    ＵＳＢケーブル
５００    ＵＳＢメモリ
【図１】
2011101977.tif 000003
【図２】
2011101977.tif 000004
【図３】
2011101977.tif 000005
【図４】
2011101977.tif 000006
【図５】
2011101977.tif 000007
【図６】
2011101977.tif 000008
【国際調査報告】
2011101977.tif 000009
2011101977.tif 000010